(57)【特許請求の範囲】
【請求項１】
凹部を有しかつ長手方向に延在する基板と、この基板の長手方向の両端部側に対称的に形成した複数の切欠部を介して揺動可能に対設される複数の開閉綴じ部材からなり、これらの開閉綴じ部材は前記基板の凹部内に揺動可能に収納されて長手方向に延在する２つの支持板に一体的に連結され、弾性部材を前記２つの支持板間に張設して、支持板を上死点側へ付勢して揺動させ上死点に保持することにより前記複数の開閉綴じ部材が開放状態となる開放位置と、前記開閉綴じ部材が相互に接触し弾性部材の弾性力により付勢されて閉塞状態となる閉塞位置とに保持し、前記弾性部材は前記２つの支持板の長手方向対向端縁部に所定の間隔で形成された突起片により挟持されていることを特徴とする綴じ具。
【請求項２】
弾性部材は、ピアノ線であることを特徴とする請求項１記載の綴じ具。
【請求項３】
基板の凹部両端に隣接して逆テーパ部を形成した取付孔を穿設し、前記取付孔に逆テーパ部を形成したリベットを挿入することにより前記基板を台紙に固定することを特徴とする請求項１または２のいずれかに記載の綴じ具。
【発明の詳細な説明】
【０００１】
【発明の属する技術分野】
本発明は、書類等を綴る綴じ具に関し、特に構成が簡単で製造、組立が容易な綴じ具に関する。
【０００２】
【従来の技術】
従来、例えばファイル等の背表紙部分に固定され帳票等を綴る綴じ具は、背表紙部分に固定される基板部分が金属により形成され、綴じリング部分も金属により形成され、両者を結合して相互に弾接させるばね材を含めてカシメ等により結合している。
【０００３】
【発明が解決しようとする課題】
しかしながら、前記した従来の綴じ具は金属から構成される複数の部品をカシメ等により結合しているので、製造、組立が煩雑となる問題がある。また、カシメにより各部品が結合されているので、廃棄する際に各部品ごとに分別しにくいという問題がある。
【０００４】
本発明は、前記問題点を解決するためになされたものであり、部品点数が少なく、部品の製造、組立が容易に行え、廃棄するときに分解が容易で分別しやすく環境対応型の綴じ具を提供することを目的とする。
【０００５】
【課題を解決するための手段】
前記の目的を達成するため、本発明に係る綴じ具は、凹部を有しかつ長手方向に延在する基板と、この基板の長手方向の両端部側に対称的に形成した複数の切欠部を介して揺動可能に対設される複数の開閉綴じ部材からなり、これらの開閉綴じ部材は前記基板の凹部内に揺動可能に収納されて長手方向に延在する２つの支持板に一体的に連結され、弾性部材を前記２つの支持板間に張設して、支持板を上死点側へ付勢して揺動させ上死点に保持することにより前記複数の開閉綴じ部材が開放状態となる開放位置と、前記開閉綴じ部材が相互に接触し弾性部材の弾性力により付勢されて閉塞状態となる閉塞位置とに保持し、前記弾性部材は前記２つの支持板の長手方向対向端縁部に所定の間隔で形成された突起片により挟持されていることを特徴とする。
【０００６】
２つの支持板の長手方向対向端縁部に所定の間隔で突起片を形成し、この突起片により弾性部材が挟持されているように構成することが望ましく、弾性部材はピアノ線であることが望ましく、ピアノ線を除き、全て合成樹脂で構成すると好適である。基板の凹部両端に隣接して逆テーパ部を形成した取付孔を穿設し、取付孔に逆テーパ部を形成したリベットを挿入することにより基板を台紙に固定するように構成してもよい。
【０００７】
前記のように構成された本発明に係る綴じ具によれば、開閉綴じ部材の支持板間に弾性部材を挟持して基板内に収納するだけで組立ができ、分解も容易に行えるため、廃棄時に部品を分別することが容易に行える。
【０００８】
【発明の実施の形態】
発明の実施の形態を図面を参照して説明する。図１は本発明に係る綴じ具の一実施形態の正面図、図２は図１の一部を破断した状態の側面図、図３は図１の一部を省略した底面図、図４（ａ）は図２のＡ−Ａ線に沿う拡大断面図、図４（ｂ）は（ａ）の開放綴じ部材の開放状態の拡大断面図、図４（ｃ）は開放綴じ部材の閉塞状態と開放状態の突起片の動作説明図、図４（ｄ）は図４（ｃ）の隣接する突起片の動作説明図、図５は支持板および開放綴じ部材の要部を示す拡大斜視図、図６は綴じ具とファイルの背表紙とを固定する動作説明図である。
【０００９】
図１〜６において、綴じ具１０は凹部１１を有しかつ長手方向に延在する基板１２と、この基板１２の長手方向の両端部側に対称的に形成した複数の切欠部１３を介して揺動可能に対設される複数の開閉綴じ部材であるリング部１４ａ、１４ａからなり、これらの開閉綴じ部材であるリング部１４ａ、１４ａは基板１２の凹部１１内に揺動可能に収納されて長手方向に延在する２つの支持板１４、１４に一体的に連結され、さらに２つのリング部１４ａ、１４ａを開放位置および閉塞位置に保持する弾性部材であるばね棒１５を２つの支持板１４、１４間に張設している。リング部１４ａ、１４ａは閉塞位置において帳票を綴じる綴じリングを構成する。２つの支持板１４、１４は基板１２内の凹部１１内に収納され、支持板１４、１４間にばね棒１５が装着される。リング部１４ａ、１４ａの先端は、一方はクロス型の突部が形成され、他方はクロス型の凹部が形成され、両者が閉じたときにずれない構成としてある。
【００１０】
基板１２はＡＢＳ樹脂等の比較的堅いプラスチックから形成され、上面１２ａと側面１２ｂ、１２ｂと端面１２ｃ、１２ｃとにより内部に凹部１１が形成され、側面から上面にかけて貫通する４つの切欠部１３が形成されており、切欠部１３はリング部１４ａ、１４ａが挿入されるものである。支持板１４、１４およびリング部１４ａ、１４ａはポリカーボネイト樹脂等の比較的柔らかいプラスチックから一体的に形成されている。
【００１１】
支持板１４、１４の長手方向対向端縁部には、両端部に弾性部材であるばね棒１５を位置決めする複数の突部１６が形成され、中間部にはばね棒１５を相互に挟持する複数の突起片１７が形成されている。突部１６は下部が切り欠かれた上突部１６ａと、上部が切り欠かれた下突部１６ｂとから構成され、相互に噛み合う構成であるとともにばね棒１５の端部に当接して、その移動を阻止するものである。突起片１７はばね棒１５の円形断面に対応する半円形の切欠き部が形成されている。２つの支持板１４、１４およびリング部１４ａ、１４ａは同一形状をしており、複数の突起片１７は相互にその中間に位置するように設定されている。ばね棒１５は直径が１ｍｍ程度のピアノ線を切断して構成されている。
【００１２】
支持板１４、１４の外方には基板１２面に対接するエッジ部１８、１８が長手方向に突設されている。このエッジ部１８、１８は支持板１４、１４が基板１２に対して揺動するときの支点となるものであり、このエッジ部に対応する基板１２内面には溝部１２ｄ、１２ｄが形成されている。支持板の両端面には基板１２の仕切壁の内面に対接する突起部１９、１９が突設されており、支持板１４、１４が基板１２に対して揺動するときの接触抵抗を小さくするものである。
【００１３】
図４に示されるように、支持板１４、１４のエッジ部１８、１８と突起片１７、１７の半円形の切欠き部の中心との距離Ｌは、対向する２つのエッジ部間１８、１８の距離Ｄの１／２より大きく設定されている。すなわち、図４（ｃ）のように右の突起片の揺動半径である距離Ｌは、中心線を左側に超えており、図４（ｄ）のように左の突起片の揺動半径である距離Ｌは、中心線を右側に超えている。このため、図３に示されるように基板１２の凹部１１に支持板１４、１４が嵌合された状態では、ばね棒１５は波形に湾曲され、直線状に復帰しようとする復元力で支持板１４、１４は相互に反発するように構成されている。ばね棒１５は柔らかく、しなりやすいので支持板１４、１４を保持するのに適している。
【００１４】
リング部１４ａ、１４ａが開いて支持板１４、１４の上面が基板１２の内面に接触する上死点の状態（図４（ｂ）参照）と、リング部１４ａ、１４ａが閉じて支持板１４、１４が下方に移動した下死点の状態（図４（ａ）参照）との間の角度θの範囲で支持板１４、１４は揺動するが、中間点では突起片１７が接近することによりばね棒１５はさらに波形に変形され、より大きい復元力で反発される構成となっているため、支持板１４、１４は中間点で停止することなく上死点または下死点まで移動するように位置決めされる構成である。支持板１４、１４の上死点の状態は支持板のリング部１４ａ、１４ａの開放位置に対応し、支持板１４、１４の下死点の状態は支持板のリング部１４ａ、１４ａの閉塞位置に対応している。
【００１５】
基板１２の裏面の両側部には、この綴じ具１０を台紙であるファイル等の背表紙２０に固定するための取付孔２１、２１が穿設されている。この取付孔は図６に示されるように、入口の面取り部に連続する直線部、逆テーパ部２１ａ、直線部を形成してあり、逆テーパ部のテーパは５乃至１０度に設定されている。取付孔２１、２１に嵌合されるリベット２２、２２は樹脂より形成され、取付孔の逆テーパ部に対応する逆テーパ部２２ａが形成されている。ファイルの背表紙２０の貫通孔に綴じ具１０の取付孔２１、２１を対応させてリベット２２、２２を圧入状態に挿入することにより、綴じ具１０をファイルに固定する構成である。
【００１６】
本実施形態の綴じ具１０は前記した構成であり、以下動作について説明する。この綴じ具１０は２つのリング部１４ａ、１４ａを開いた状態で支持板１４、１４の突起片１７間にばね棒１５を位置させ、この組み合わせた状態で基板１２の切欠部１３にリング部１４ａ、１４ａを挿入させる。そして、支持板１４、１４を基板１２に挿入し、エッジ部１８、１８を溝部１２ｄ、１２ｄに係合させる。このような単純な操作により綴じ具１０を組み立てすることができる。
【００１７】
また、綴じ具１０を分解するときは、リング部１４ａ、１４ａを開いた状態で基板１２に対して下方に押圧すると、支持板のエッジ部１８、１８が基板１２の溝部１２ｄ、１２ｄから外れて、基板１２、支持板１４、１４、ばね棒１５に分解することができる。従って、綴じ具１０を廃棄するときは、金属、プラスチックに容易に分別することができる。
【００１８】
綴じ具１０をファイルの背表紙２０に固定するときは、背表紙の貫通孔に綴じ具の取付孔２１、２１を対応させて、リベット２２、２２を圧入状態に挿入するだけの操作で行え、極めて容易に固定することができる。リベット２２、２２の逆テーパ部２２ａが取付孔２１の逆テーパ部２１ａに挿入されて強固に結合してファイルの背表紙２０に綴じ具１０は固定される。また、ファイルより綴じ具１０を外すときは、リベット２２、２２の頭部と背表紙２０の間に例えばドライバの先等を挿入させてリベット２２、２２を外すだけで行える。
【００１９】
この綴じ具１０に書類等を綴じ込むときは、指等によりリング部１４ａ、１４ａの先端をつかんで広げると、支持板１４、１４のエッジ部１８、１８と基板１２の溝部１２ｄ、１２ｄとを支点として支持板１４、１４は揺動し、ばね棒１５を突起片１７により押圧して湾曲させながら支持板は上方向に揺動する。そして、支持板１４、１４が中間点を通過するとばね棒１５の大きな復元力により突起片１７を反発して支持板１４、１４を上死点側へ付勢して揺動させ上死点に保持し、開放状態となる。
【００２０】
このように開いた状態のリング部１４ａ、１４ａに帳票の綴じ孔を対応させ、リング部１４ａ、１４ａを指等でつまんで閉じると、支持板１４、１４は前記と反対の下方向に揺動する。このときもばね棒１５を押圧湾曲させるため中間点まではばね棒１５に抗しており、中間点を過ぎるとばね棒１５の反発力により支持板１４、１４は下死点まで一気に移動する。これにより支持板１４、１４のリング部１４ａ、１４ａは相互に接触してばね棒１５の弾性力により付勢された閉塞状態となる。この閉塞状態のリング部１４ａ、１４ａの付勢力は、ばね棒１５の直径、エッジ部１８、１８と突起片１７との距離を大きくすることにより強力にすることができる。
【００２１】
なお、開閉綴じ部材であるリング部１４ａ、１４ａは２つの例を示したが、３つあるいは４つ等適宜選択できるものであり、弾性部材はピアノ線の例を示したがステンレススチール等のばね材でもよく、また、例えば平板状のばね板等、適宜の形状の弾性部材を用いることができるのは勿論である。
【００２２】
【発明の効果】
以上説明したように、本発明によれば、部品点数が少なく、構成が簡単で製造、組立が容易となる。また、廃棄時には分解が容易に行え、部品の分別が容易に行えるので環境に対応した綴じ具を提供できるという効果を奏する。
【図面の簡単な説明】
【図１】本発明に係る綴じ具の一実施形態の正面図である。
【図２】図１の一部を破断した状態の側面図である。
【図３】図１の一部を省略した底面図である。
【図４】（ａ）は図２のＡ−Ａ線に沿う拡大断面図、（ｂ）は（ａ）の開放綴じ部材の開放状態の拡大断面図、（ｃ）は開放綴じ部材の閉塞状態と開放状態の突起片の動作説明図、（ｄ）は（ｃ）の隣接する突起片の動作説明図である。
【図５】支持板および開放綴じ部材の要部を示す拡大斜視図である。
【図６】綴じ具とファイルの背表紙とを固定する動作説明図である。
【符号の説明】
１０  綴じ具
１１  凹部
１２  基板
１３  切欠部
１４、１４  支持板
１４ａ、１４ａ  開閉綴じ部材（リング部）
１５  弾性部材（ばね棒）
１６  突部
１７  突起片
１８、１８  エッジ部
１９  突起部
２０  台紙（ファイルの背表紙）
２１、２１  取付孔
２１ａ  逆テーパ部
２２、２２  リベット
２２ａ  逆テーパ部
【図１】
0004137241.tif 000002
【図２】
0004137241.tif 000003
【図３】
0004137241.tif 000004
【図４】
0004137241.tif 000005
【図５】
0004137241.tif 000006
【図６】
0004137241.tif 000007